(57)【要約】【課題】実際に受信したタイミングと測定値が算出されたタイミングとのタイミング差、及び実際に測定された受信レベルと平均化された受信レベルとのレベル差とを低減する端末、及び端末制御方法を提供することを目的としている。【解決手段】端末は、自端末の状態を示す状態情報を取得する取得部と、取得部が取得した前記状態情報に基づいて、受信状態に応じた画像を表示部に表示する頻度である更新頻度を変更する更新頻度決定部と、を備える。【選択図】図１
2015050751.tif 000002
【特許請求の範囲】
【請求項１】
自端末の状態を示す状態情報を取得する取得部と、
前記取得部が取得した前記状態情報に基づいて、受信状態に応じた画像を表示部に表示する頻度である更新頻度を変更する更新頻度決定部と、
を備えることを特徴とする端末。
【請求項２】
前記更新頻度決定部は、前記取得部が取得した前記状態情報に基づいて、自端末が受信した電波状態を示す電波状態情報を取得するタイミングを変更する
ことを特徴とする請求項１に記載の端末。
【請求項３】
前記状態情報は、自端末が受信した電波状態を示す電波状態情報、自端末が使用されている位置を示す位置情報のうち少なくとも１つを含む
ことを特徴とする請求項１または請求項２に記載の端末。
【請求項４】
前記状態情報は、自端末が握られているか否かを示すグリップ状態情報、及び自端末の加速度を示す加速度情報のうち少なくとも１つを含む
ことを特徴とする請求項１から請求項３のいずれか１項に記載の端末。
【請求項５】
取得部が、自端末の状態を示す状態情報を取得する取得手順と、
更新頻度決定部が、前記取得手順によって取得された前記状態情報に基づいて、受信状態に応じた画像を表示部に表示する頻度である更新頻度を変更する更新頻度決定手順と、
を含むことを特徴とする端末制御方法。
【発明の詳細な説明】
【技術分野】
【０００１】
本発明は、端末、及び端末制御方法に関する。
【背景技術】
【０００２】
基地局からの電波の受信レベルを測定する受信レベル測定器が提案されている。受信レベル測定器を移動させながら受信レベルを測定した場合、受信レベルが激しく変動する。このため、受信レベル測定器では、受信レベルの平均値を算出して測定を行っている（例えば、特許文献１参照）。
【先行技術文献】
【特許文献】
【０００３】
【特許文献１】特開平１０−２６２００５号公報
【発明の概要】
【発明が解決しようとする課題】
【０００４】
しかしながら、特許文献１に記載の技術では、受信レベルの測定値が更新されるまでに一定の時間がかかる。この結果、特許文献１に記載の技術では、測定器を移動させながら受信レベルを測定した場合、実際に受信したタイミングと測定値が算出されたタイミングとに差があり、さらに測定値が平均化されているため、実際に測定された受信レベルと平均化された受信レベルとに差が生じることがあるという課題があった。
【０００５】
本発明は、上記の問題点に鑑みてなされたものであって、実際に受信したタイミングと測定値が算出されたタイミングとのタイミング差、及び実際に測定された受信レベルと平均化された受信レベルとのレベル差とを低減する端末、及び端末制御方法を提供することを目的としている。
【課題を解決するための手段】
【０００６】
上記目的を達成するため、本発明の一態様に係る端末は、自端末の状態を示す状態情報を取得する取得部と、前記取得部が取得した前記状態情報に基づいて、受信状態に応じた画像を表示部に表示する頻度である更新頻度を変更する更新頻度決定部と、を備えることを特徴としている。
【発明の効果】
【０００７】
本発明によれば、端末は、実際に受信したタイミングと測定値が算出されたタイミングとのタイミング差、及び実際に測定された受信レベルと平均化された受信レベルとのレベル差とを低減することができる。
【図面の簡単な説明】
【０００８】
【図１】第１実施形態に係る端末の概略構成を説明するブロック図である。
【図２】第１実施形態に係る端末が行う処理手順のフローチャートである。
【図３】第２実施形態に係る端末の概略構成を説明するブロック図である。
【図４】第２実施形態に係るサービスエリア情報記憶部に記憶されているサービスエリア情報を説明する図である。
【図５】第２実施形態に係る端末が行う処理手順のフローチャートである。
【図６】第３実施形態に係る端末の概略構成を説明する図である。
【図７】第３実施形態に係るグリップ状態を取得するセンサが取り付けられている位置の例を説明する図である。
【図８】第３実施形態に係る端末が行う処理手順のフローチャートである。
【図９】第３実施形態に係る利用者による端末の利用状態と更新頻度と関係の一例を説明する図である。
【図１０】第４実施形態に係る端末が行う処理手順のフローチャートである。
【発明を実施するための形態】
【０００９】
以下、図面を用いて本発明の実施形態について詳細に説明する。なお、本発明はかかる実施形態に限定されず、種々の変更が可能であり、それらの変更は全て本発明の特許請求の範囲に包含される。
【００１０】
［第１実施形態］
図１は、本実施形態に係る端末１の概略構成を説明するブロック図である。図１に示すように、端末１は、取得部１０、強度測定部２０、画像生成部３０、及び表示部４０を備えている。取得部１０は、電波取得部１０１を備えている。画像生成部３０は、更新頻度決定部３０１及び受信レベル画像生成部３０２を備えている。
端末１は、例えば携帯電話、タブレット端末、携帯型のルータ機能を有する無線通信端末、携帯型ゲーム機等である。また、端末１が受信する電波は、携帯電話網との送受の電波、無線ＬＡＮ（Ｌｏｃａｌ  Ａｒｅａ  Ｎｅｔｗｏｒｋ；ローカル・エリア・ネットワーク）による電波、テレビやラジオ放送による電波等である。
【００１１】
電波取得部１０１は、アンテナを含む。なお、端末１が、複数の種類の無線帯域の電波を受信する場合、電波取得部１０１は、受信する電波毎にアンテナを有することができる。電波取得部１０１は、電波を取得し、取得した電波の強度を電圧値又は電流値へ変換したものを状態情報として強度測定部２０に出力する。
強度測定部２０は、電波取得部１０１から入力された電波の強度（以下、電波強度という）を更新頻度決定部３０１から入力された更新頻度のサンプリング期間ごとに測定し、測定した電波強度を示す情報を更新頻度決定部３０１及び受信レベル画像生成部３０２に出力する。なお、強度測定部２０は、複数の無線帯域の電波を受信する場合、受信する周波数毎の電波の電波強度を測定する。
【００１２】
更新頻度決定部３０１は、強度測定部２０から入力された電波強度を示す情報を、所定の閾値を用いて複数の受信レベルに分類する。なお、受信レベルとは、電波強度を少なくとも２つ以上の段階に分類したものである。また、更新頻度決定部３０１は、分類した受信レベルに基づいて受信している電波の状態（以下、「電波状態」という）を判別し、判別した結果に応じて受信レベル表示を更新する更新頻度を決定する。そして、更新頻度決定部３０１は、決定した更新頻度を示す情報を強度測定部２０及び受信レベル画像生成部３０２に出力する。なお、更新頻度決定部３０１は、強度測定部２０から入力された電波強度を示す情報に基づいて、受信レベル表示を更新する更新頻度を決定するようにしてもよい。なお、電波状態が悪い状態のとき更新頻度を上げる理由は、電波状態が悪い状態であるため、利用者が電波状態の良い位置を探している可能性があるためである。従って、本実施形態では、このように電波状態が悪い状態をトリガとして用いて更新頻度を上げる。
【００１３】
一例として、受信レベルが４段階の場合、更新頻度決定部３０１は、電波強度が第１閾値以上であるか未満であるかを判別し、第１閾値未満の電波強度を受信レベル０であるとする。次に、更新頻度決定部３０１は、電波強度が第１閾値より大きな値である第２閾値以上であるか未満であるかを判別し、第１閾値以上かつ第２閾値未満の電波強度を受信レベル１であるとする。次に、更新頻度決定部３０１は、電波強度が第２閾値より大きな値である第３閾値以上であるか未満であるかを判別し、第２閾値以上かつ第３閾値未満の電波強度を受信レベル２であるとする。次に、更新頻度決定部３０１は、第３閾値以上である電波強度を受信レベル３であるとする。例えば、受信レベル０は圏外を表し、受信レベル１は受信している電波の状態が不安定であることを表し、受信レベル２、受信レベル３は、受信している電波の状態が良好であることを表している。
更新頻度決定部３０１は、例えば、受信レベルが０〜３の４段階の場合、受信レベルが０または１のとき電波状態が良い状態ではない（悪い状態）と判別して、更新頻度である０．５秒間隔に更新頻度を決定する。また、更新頻度決定部３０１は、受信レベルが２または３のとき電波状態が良い状態であると判別して、通常の２秒間隔に更新頻度を決定する。
【００１４】
受信レベル画像生成部３０２は、強度測定部２０から入力された電波強度を示す情報に基づいて受信レベルを表す画像を生成する。受信レベル画像生成部３０２は、更新頻度決定部３０１が決定した更新頻度で生成した画像を表示部４０に表示させる。なお、受信レベルを表す画像は、アンテナ等のアイコン画像であるアンテナピクトグラム（絵文字、以下、アンテナピクトという）の画像、例えば無線ＬＡＮであれば無線ＬＡＮの電波強度を表す無線ＬＡＮピクトグラム（以下、無線ＬＡＮピクトという）の画像、電波強度の数値の画像等である。なお、受信レベル画像生成部３０２は、更新頻度決定部３０１が分類した複数の受信レベルに基づいて受信レベルを表す画像を生成するようにしてもよい。
【００１５】
表示部４０は、例えば液晶パネル、又は有機ＥＬディスプレイパネルを備え、画像生成部３０が生成したアンテナピクト、無線ＬＡＮピクト、及び電波強度の数値の画像等の画像を表示する。
【００１６】
次に、端末１の処理について説明する。図２は、本実施形態に係る端末１が行う処理手順のフローチャートである。
（ステップＳ１０１）電波取得部１０１は、電波を取得し、強度測定部２０は、電波取得部１０１が取得した電波の電波強度を通常状態のサンプリング期間ごとに測定する。
【００１７】
（ステップＳ１０２）更新頻度決定部３０１は、強度測定部２０から入力された電波強度を示す情報に基づいて、受信している電波状態が良い状態であるか否かを判別する。更新頻度決定部３０１は、受信している電波状態が良い状態であると判別した場合（ステップＳ１０２；ＹＥＳ）、ステップＳ１０４に進み、受信している電波状態が良い状態ではないと判別した場合（ステップＳ１０２；ＮＯ）、ステップＳ１０３に進む。
（ステップＳ１０３）更新頻度決定部３０１は、更新頻度を通常状態から上げるように決定する。次に、強度測定部２０は、更新頻度決定部３０１によって決定された更新頻度で電波強度を測定する。次に、受信レベル画像生成部３０２は、更新頻度決定部３０１によって決定された更新頻度で、生成した受信レベルに応じた画像を表示部４０に表示させる。
【００１８】
（ステップＳ１０４）更新頻度決定部３０１は、更新頻度を通常状態に決定する。次に、強度測定部２０は、更新頻度決定部３０１によって決定された更新頻度で電波強度を測定する。次に、受信レベル画像生成部３０２は、更新頻度決定部３０１によって決定された更新頻度で、生成した受信レベルに応じた画像を表示部４０に表示させる。
【００１９】
以上のように、本実施形態の端末１は、自端末の状態を示す状態情報（受信強度）を取得する取得部１０と、取得部が取得した状態情報に基づいて、受信状態に応じた画像（受信レベル）を表示部４０に表示する頻度である更新頻度を変更する更新頻度決定部３０１と、を備える。
また、本実施形態の端末の端末制御方法は、取得部１０が、自端末の状態を示す状態情報を取得する取得手順と、更新頻度決定部３０１が、取得手順によって取得された前記状態情報に基づいて、受信状態に応じた画像を表示部に表示する頻度である更新頻度を変更する更新頻度決定手順と、を含む。
【００２０】
この構成により、本実施形態の端末１は、受信した電波状態に応じて、受信レベルを示す画像を表示する間隔である更新頻度を決定し、決定した更新頻度で受信レベルを示す画像を表示する。これにより、本実施形態の端末１は、電波状態が悪いとき受信レベルが表示される頻度が高くなるので、実際に端末が受けている電波状態と画面に表示される受信レベルの表示タイミングのズレと、電波強度が平均値化されることによって実際に受信した電波強度との値のズレが小さくなる。この結果、本実施形態の端末１では、利用者が電波状態の良い場所を探そうとする状態のとき、電波を受信しやすい位置を見つけやすくすることができる。
【００２１】
また、本実施形態の端末１であって、更新頻度決定部３０１は、取得部（電波取得部１０１）が取得した状態情報に基づいて、自端末が受信した電波状態を示す電波状態情報を取得するタイミングを変更する。
この構成により、本実施形態の端末１は、受信した電波状態に応じて、電波強度を測定する間隔を決定し、決定した測定する間隔で電波強度を測定して受信レベルを示す画像を表示する。この結果、本実施形態の端末１では、電波状態が悪い場合に測定する間隔を短くするため、実際に測定された受信レベルと画面に表示される平均値化された受信レベルとのズレを小さくすることができる。これにより、本実施形態の端末１では、利用者が電波状態の良い場所を探そうとする状態のとき、電波を受信しやすい位置を見つけやすくすることができる。なお、上述した電波状態を検出する処理は、常時行うようにしてもよく、または利用者の電波状態の良い場所を探す指示に応じて処理を行うようにしてもよい。
【００２２】
［第２実施形態］
図３は、本実施形態に係る端末１Ａの概略構成を説明するブロック図である。図３に示すように、端末１Ａは、取得部１０、強度測定部２０、画像生成部３０Ａ、表示部４０、及び取得部１２を備えている。取得部１２は、位置情報取得部５０、及びサービスエリア情報記憶部６０を備えている。画像生成部３０Ａは、更新頻度決定部３０１Ａ及び受信レベル画像生成部３０２を備えている。端末１（図１）と同じ機能を有する機能部は、同じ符号を用いて説明を省略する。
【００２３】
サービスエリア情報記憶部６０には、携帯電話網のサービスが提供されているサービスエリアに関する情報（以下、サービスエリア情報という）が記憶されている。例えば、サービスエリアが緯度と経度とによって表現されて記憶されている。また、サービスエリア情報記憶部６０には、無線ＬＡＮのサービスが提供されているサービスエリア情報が記憶されている。また、サービスエリア情報記憶部６０には、テレビ放送のサービスが提供されているチャネル、周波数、サービスエリア情報が関連づけられて記憶されている。
【００２４】
位置情報取得部５０は、端末１Ａが使用されている位置の位置情報を取得する。例えば、位置情報取得部５０は、端末１ＡがＧＰＳ受信部（図示せず）を有している場合、ＧＰＳ衛星から受信したデータに基づいて端末１Ａが使用されている位置の位置情報を取得する。または、位置情報取得部５０は、基地局の位置情報を取得し、取得した情報を状態情報として端末１Ａが使用されている位置の位置情報とする。位置情報取得部５０は、取得した位置情報を更新頻度決定部３０１Ａに出力する。
【００２５】
更新頻度決定部３０１Ａは、位置情報取得部５０から入力された位置情報とサービスエリア情報記憶部６０に記憶されているサービスエリアに関する情報とに基づいて、端末１Ａが使用されている位置がサービスエリアの境界近辺であるか否かを判別する。更新頻度決定部３０１Ａは、端末１Ａが使用されている位置がサービスエリアの境界近辺であるとき、更新頻度を上げる。更新頻度決定部３０１Ａは、端末１Ａが使用されている位置がサービスエリアの境界近辺ではないとき、通常の更新頻度に決定する。そして、更新頻度決定部３０１Ａは、決定した更新頻度を示す情報を強度測定部２０及び受信レベル画像生成部３０２に出力する。
なお、端末１Ａが使用されている位置がサービスエリアの境界近辺であるとき更新頻度を上げる理由は、サービスエリアの境界近辺であるので電波状態が悪い状態であるため、利用者が電波状態の良い位置を探している可能性があるためである。従って、本実施形態では、このように端末１Ａが使用されている位置がサービスエリアの境界近辺であることをトリガとして、更新頻度を上げる。
【００２６】
受信レベル画像生成部３０２は、強度測定部２０から入力された電波強度を示す情報に基づいて受信レベルを表す画像を生成する。受信レベル画像生成部３０２は、更新頻度決定部３０１Ａが決定した更新頻度で生成した画像を表示部４０に表示させる。
【００２７】
図４は、本実施形態に係るサービスエリア情報記憶部６０に記憶されているサービスエリア情報を説明する図である。画像４００は、サービスエリアが提供されている地域と提供されていない地域を示す地図である。画像４０１が示す領域は、３Ｇ（第３世代移動通信システム）のサービスエリアである。画像４０２が示す領域は、ＬＴＥ（Ｌｏｎｇ  Ｔｅｒｍ  Ｅｖｏｌｕｔｉｏｎ；ロング・ターム・エボリューション）のサービスエリアである。境界線４１１は、３Ｇのサービスエリアの境界線である。また、境界線４１２は、ＬＴＥのサービスエリアの境界線である。サービスエリア情報記憶部６０には、少なくとも境界線４０１及び４０２を示す情報が各々、緯度と経度とによって表現されて記憶されている。
【００２８】
次に、端末１Ａの処理について説明する。図５は、本実施形態に係る端末１Ａが行う処理手順のフローチャートである。
（ステップＳ２０１）電波取得部１０１は、ステップＳ１０１（図２）と同様に処理を行う。
（ステップＳ２０２）位置情報取得部５０は、端末１Ａが使用されている位置の位置情報を取得する。
（ステップＳ２０３）更新頻度決定部３０１Ａは、位置情報取得部５０から入力された位置情報とサービスエリア情報記憶部６０に記憶されているサービスエリア情報とに基づいて、端末１Ａが使用されている位置が、サービスエリアの境界近辺であるか否かを判別する。更新頻度決定部３０１Ａは、端末１Ａが使用されている位置がサービスエリアの境界近辺であると判別された場合（ステップＳ２０３；ＹＥＳ）、ステップＳ２０４に進み、端末１Ａが使用されている位置がサービスエリアの境界近辺ではないと判別された場合（ステップＳ２０３；ＮＯ）、ステップＳ２０５に進に進む。
【００２９】
（ステップＳ２０４）更新頻度決定部３０１Ａは、ステップＳ１０３（図２）と同様に処理を行う。
（ステップＳ２０５）更新頻度決定部３０１Ａは、ステップＳ１０４（図２）と同様に処理を行う。
【００３０】
以上のように、本実施形態の端末１Ａは、自端末の状態を示す状態情報（位置情報）を取得する取得部１２と、取得部が取得した状態情報に基づいて、受信状態に応じた画像（受信レベル）を表示部４０に表示する頻度である更新頻度を変更する更新頻度決定部３０１Ａと、を備える。
また、本実施形態の端末１Ａであって、状態情報は、自端末が受信した電波状態を示す電波状態情報、自端末が使用されている位置を示す位置情報のうち少なくとも１つを含む。
【００３１】
この構成により、本実施形態の端末１Ａは、位置情報から通信や放送のサービスエリアの境界近辺のとき受信レベルが表示される頻度が高くなるので、実際に端末が受けている電波状態と画面に表示される受信レベルの表示タイミングのズレと、電波強度が平均値化されることによって実際に受信した電波強度との値のズレが小さくなる。この結果、本実施形態の端末１Ａでは、利用者が電波状態の良い場所を探そうとする状態のとき、電波を受信しやすい位置を見つけやすくすることができる。なお、上述した位置情報に基づく処理は、常時行うようにしてもよく、または利用者の電波状態の良い場所を探す指示に応じて処理を行うようにしてもよい。
【００３２】
［第３実施形態］
図６は、本実施形態に係る端末１Ｂの概略構成を説明する図である。図６に示すように、端末１Ｂは、取得部１０、強度測定部２０、画像生成部３０Ｂ、表示部４０、及び取得部１４を備えている。取得部１４は、グリップ状態取得部７０、及び加速度情報取得部８０を備えている。画像生成部３０Ｂは、更新頻度決定部３０１Ｂ及び受信レベル画像生成部３０２を備えている。端末１（図１）と同じ機能を有する機能部は、同じ符号を用いて説明を省略する。
【００３３】
グリップ状態取得部７０は、タッチセンサを有し、利用者が端末１Ｂを握っている状態（以下、グリップ状態という）の押圧力をタッチセンサによって検出する。グリップ状態取得部７０は、検出したグリップ状態を示すグリップ状態情報を状態情報として更新頻度決定部３０１Ｂに出力する。なお、グリップ状態とは、利用者が端末１Ｂを握っている状態、または利用者が端末１Ｂを握っていない状態である。なお、グリップ状態取得部７０が有するセンサは、圧力センサであってもよい。
加速度情報取得部８０は、加速度センサを有し、端末１Ｂの加速度を検出し、検出した加速度を示す加速度情報を状態情報として更新頻度決定部３０１Ｂに出力する。
【００３４】
更新頻度決定部３０１Ｂは、グリップ状態取得部７０から入力されたグリップ状態情報に基づいて、利用者が端末１Ｂを握っているか否かを判別する。また、更新頻度決定部３０１Ｂは、加速度情報取得部８０から入力された加速度情報に基づいて、利用者が端末１Ｂを動かしているか否かを判別する。更新頻度決定部３０１Ｂは、利用者が端末１Ｂを握っていて、且つ利用者が端末１Ｂを動かしているとき、更新頻度を上げる。更新頻度決定部３０１Ｂは、それ以外のとき、通常の更新頻度に決定する。そして、更新頻度決定部３０１Ｂは、決定した更新頻度を示す情報を強度測定部２０及び受信レベル画像生成部３０２に出力する。
なお、利用者が端末１Ｂを握っていて、且つ利用者が端末１Ｂを動かしているとき更新頻度を上げる理由は、利用者が電波状態の良い位置を探している可能性があるためである。従って、本実施形態では、このように利用者が端末１Ｂを握っていて、且つ利用者が端末１Ｂを動かしていることをトリガとして、更新頻度を上げる。
【００３５】
図７は、本実施形態に係るグリップ状態を取得するセンサが取り付けられている位置の例を説明する図である。図７に示すように、タッチセンサ７０１は、利用者が端末１Ｂを持ったときに指や手が触れる箇所である端末１Ｂの両側面に取り付けられている。端末１Ｂが、横長で使われる場合、タッチセンサ７０１は短手方向の端末１Ｂの両側面に取り付けられていてもよい。
【００３６】
次に、端末１Ｂの処理について説明する。図８は、本実施形態に係る端末１Ｂが行う処理手順のフローチャートである。
（ステップＳ３０１）電波取得部１０１は、ステップＳ１０１（図２）と同様に処理を行う。
（ステップＳ３０２）グリップ状態取得部７０は、グリップ状態を検出する。
（ステップＳ３０３）加速度情報取得部８０は、端末１Ｂの加速度を検出する。
（ステップＳ３０４）更新頻度決定部３０１Ｂは、グリップ状態取得部７０から入力されたグリップ状態情報に基づいて、利用者が端末１Ｂを握っているか否かを判別する。更新頻度決定部３０１Ｂは、利用者が端末１Ｂを握っていると判別した場合（ステップＳ３０４；ＹＥＳ）、ステップＳ３０５に進み、利用者が端末１Ｂを握っていないと判別した場合（ステップＳ３０４；ＮＯ）、ステップＳ３０７に進む。
【００３７】
（ステップＳ３０５）更新頻度決定部３０１Ｂは、加速度情報取得部８０から入力された加速度情報に基づいて、利用者が端末１Ｂを動かしているか否かを判別する。更新頻度決定部３０１Ｂは、利用者が端末１Ｂを動かしていると判別した場合（ステップＳ３０５；ＹＥＳ）、ステップＳ３０６に進み、利用者が端末１Ｂを動かしていないと判別した場合（ステップＳ３０５；ＮＯ）、ステップＳ３０７に進む。
【００３８】
（ステップＳ３０６）更新頻度決定部３０１Ｂは、ステップＳ１０３（図２）と同様に処理を行う。
（ステップＳ３０７）更新頻度決定部３０１Ｂは、ステップＳ１０４（図２）と同様に処理を行う。
【００３９】
図９は、本実施形態に係る利用者による端末１Ｂの利用状態と更新頻度と関係の一例を説明する図である。図９において、符号９００が示す領域の画像は、時刻と電波状態の関係の画像である。横軸は時刻、縦軸は電波状態である。曲線９０１は、実測された電波状態（電波強度）である。曲線９０２は、時刻ｔ１〜ｔ２における電波状態の平均値である。曲線９０３は、時刻ｔ２〜ｔ７における電波状態の平均値の曲線である。符号９１０が示す領域の画像は、時刻ｔ１〜ｔ７における受信レベルの４段階表示の画像である。符号９２１〜９２７が示す領域の画像は、端末１Ｂの状態（符号９２１では、端末１Ｂが真っ直ぐに前を向くように保持され、符号９２３、９２５、９２７では、端末１Ｂは左右に傾いて保持されている。）と表示部４０に表示される受信レベルの画像である。符号９３１〜９３７が示す領域の画像は、表示部４０に表示される受信レベルの画像である（アンテナ表示本数で示す）。また、図９において、第１閾値以下は受信レベルが０、第２閾値以下且つ第１閾値より大きい範囲は受信レベルが１、第３閾値以下且つ第２閾値より大きい範囲は受信レベルが２、第３閾値より大きい範囲は受信レベルが３である。
【００４０】
まず、時刻ｔ１の状態について説明する。符号９００が示す領域の画像のように、時刻ｔ０〜ｔ１におけるサンプリング期間はｔｓ１である。曲線９０２に示すように、電波状態の平均値は１である。また、符号９２１が示す領域の画像は、利用者は端末１Ｂを握っているが動かしていない状態である。符号９３１が示す端末１Ｂの表示部４０の表示領域の画像のように、表示部４０上に受信レベルが１を示す画像（アンテナ本数が１本）が表示される。
次に、時刻ｔ２の状態について説明する。時刻ｔ２は、利用者が端末１Ｂを握っていて且つ端末１Ｂを動かし始めたタイミングである。このため、サンプリング期間は、ｔｓ１からｔｓ２に切り替わる。また、更新頻度決定部３０１Ｂは、符号９００が示す領域の画像のように、電波状態の平均値を時刻ｔ２でリセットする。以下、利用者が端末１Ｂを握っていて且つ端末１Ｂを動かしている間、サンプリング期間はｔｓ２が継続される。曲線９０３に示すように、電波状態の平均値は０である。
【００４１】
次に、時刻ｔ３の状態について説明する。曲線９０３に示すように、電波状態の平均値は０である。また、符号９２３が示す領域の画像のように、利用者は端末１Ｂを握っていて且つ端末１Ｂを利用者の右側に動かした状態である。符号９３３が示す領域の画像のように、端末１Ｂの表示部４０の表示に受信レベルが０を示す画像（アンテナ本数が０本）が表示される。
次に、時刻ｔ４の状態について説明する。曲線９０３に示すように、電波状態の平均値は２である。
【００４２】
次に、時刻ｔ５の状態について説明する。曲線９０３に示すように、電波状態の平均値は３である。また、符号９２５が示す領域の画像のように、利用者は端末１Ｂを握っていて且つ端末１Ｂを利用者の左側に動かした状態である。符号９３５が示す端末１Ｂの表示部４０の表示領域の画像のように、表示部４０上に受信レベルが３を示す画像（アンテナ本数が３本）が表示される。
次に、時刻ｔ６の状態について説明する。曲線９０３に示すように、電波状態の平均値は３である。
【００４３】
次に、時刻ｔ７の状態について説明する。曲線９０３に示すように、電波状態の平均値は３である。また、符号９２７が示す領域の画像のように、利用者は端末１Ｂを握っているが、端末１Ｂを利用者の左側に動かしたまま、かつ端末１Ｂを上に持ち上げた状態である。符号９３７が示す領域の画像のように、表示部４０上に受信レベルが３を示す画像が表示される。すなわち、時刻ｔ７において、利用者は電波状態が良い状態の位置をみつけることができたため、端末１Ｂを動かすことを終了する。この結果、符号９００が示す領域の画像のように、サンプリング期間はｔｓ２からｔｓ１に切り替わる。
このように、利用者が端末１Ｂを動かしたとき、更新頻度が高くなっている（サンプリング期間が短くなっている）ため、電波状態に合わせて表示部４０に表示される受信レベルが変わる。そして、実際に端末１Ｂが受信している電波状態の受信レベルが表示部４０上に表示されるため、利用者は電波状態の良い位置や場所をみつけやすくなる。
なお、本実施形態では、位置情報に基づいて、更新頻度を変更する例を説明したが、これに限られない。第１実施形態と第２実施形態を組み合わせて、サービスエリアの境界近辺であり、さらに電波状態に応じて更新頻度を決定してもよい。
なお、本実施形態では、グリップ状態情報と加速度情報を取得する例を説明したが、これに限られない。更新頻度決定部３０１Ｂは、グリップ状態情報と加速度情報のいずれか１つに基づいて、更新頻度を変更するようにしてもよい。
【００４４】
以上のように、本実施形態の端末１Ｂは、自端末の状態を示す状態情報（グリップ状態情報、加速度情報）を取得する取得部１４と、取得部が取得した状態情報に基づいて、受信状態に応じた画像（受信レベル）を表示部４０に表示する頻度である更新頻度を変更する更新頻度決定部３０１Ｂと、を備える。
また、本実施形態の端末１Ｂであって、状態情報は、自端末が握られているか否かを示すグリップ状態情報、及び自端末の加速度を示す加速度情報のうち少なくとも１つを含む。
【００４５】
この構成により、本実施形態の端末１Ｂは、利用者が端末１Ｂを握っていて且つ端末１Ｂを動かしているとき受信レベルが表示される頻度が高くなるので、実際に端末が受けている電波状態と画面に表示される受信レベルの表示タイミングのズレと、電波強度が平均値化されることによって実際に受信した電波強度との値のズレが小さくなる。この結果、本実施形態の端末１Ｂでは、利用者が電波状態の良い場所を探そうとする状態のとき、電波を受信しやすい位置を見つけやすくすることができる。
【００４６】
［第４実施形態］
第３実施形態では、利用者が電波状態の良い場所を探している状態（端末を動かしている、端末を持っているなど）を検知して、検出された間のみ更新頻度を上げてサンプリング期間を短くし受信レベル表示の更新頻度を上げる例を説明した。本実施形態では、第３実施形態に加え、第１実施形態で説明したように電波状態も検出する例を説明する。
なお、端末１Ｂの構成は、図６と同じ構成である。
【００４７】
次に、端末１Ｂの処理について説明する。図１０は、本実施形態に係る端末１Ｂが行う処理手順のフローチャートである。
（ステップＳ４０１）電波取得部１０１は、ステップＳ１０１（図２）と同様に処理を行う。
（ステップＳ４０２）グリップ状態取得部７０は、グリップ状態を検出する。
（ステップＳ４０３）加速度情報取得部８０は、端末１Ｂの加速度を検出する。
（ステップＳ４０４）更新頻度決定部３０１Ｂは、グリップ状態取得部７０から入力されたグリップ状態情報に基づいて、利用者が端末１Ｂを握っているか否かを判別する。更新頻度決定部３０１Ｂは、利用者が端末１Ｂを握っていると判別した場合（ステップＳ４０４；ＹＥＳ）、ステップＳ４０５に進み、利用者が端末１Ｂを握っていないと判別した場合（ステップＳ４０４；ＮＯ）、ステップＳ４１０に進む。
【００４８】
（ステップＳ４０５）更新頻度決定部３０１Ｂは、加速度情報取得部８０から入力された加速度情報に基づいて、利用者が端末１Ｂを動かしているか否かを判別する。更新頻度決定部３０１Ｂは、利用者が端末１Ｂを動かしていると判別した場合（ステップＳ４０５；ＹＥＳ）、ステップＳ４０６に進み、利用者が端末１Ｂを動かしていないと判別した場合（ステップＳ４０５；ＮＯ）、ステップＳ４１０に進む。
（ステップＳ４０６）更新頻度決定部３０１Ｂは、強度測定部２０から入力された電波強度を示す情報に基づいて、受信している電波状態が良い状態であるか否かを判別する。更新頻度決定部３０１Ｂは、受信している電波状態が良い状態であると判別した場合（ステップＳ４０６；ＹＥＳ）、ステップＳ４１０に進み、受信している電波状態が良い状態ではないと判別した場合（ステップＳ４０６；ＮＯ）、ステップＳ４０７に進む。
【００４９】
（ステップＳ４０７）更新頻度決定部３０１Ｂは、強度測定部２０から入力された電波強度を示す情報に基づいて、受信している電波状態が非常に悪い状態であるか否かを判別する。更新頻度決定部３０１Ｂは、受信している電波状態が非常に悪い状態であると判別した場合（ステップＳ４０７；ＹＥＳ）、ステップＳ４０８に進み、受信している電波状態が非常に悪い状態ではないと判別した場合（ステップＳ４０７；ＮＯ）、ステップＳ４０９に進む。
【００５０】
（ステップＳ４０８）更新頻度決定部３０１Ｂは、電波状態が非常に悪いため更新頻度を通常状態から上げるように決定する。次に、強度測定部２０は、更新頻度決定部３０１Ｂによって決定された更新頻度で電波強度を測定する。次に、受信レベル画像生成部３０２は、更新頻度決定部３０１Ｂによって決定された更新頻度で、生成した受信レベルに応じた画像を表示部４０に表示させる。
（ステップＳ４０９）更新頻度決定部３０１Ｂは、電波状態が悪いため更新頻度を通常状態から少し上げるように決定する。なお、ステップＳ４０９で決定される更新頻度は、通常の更新頻度より高く、ステップＳ４０８で決定される更新頻度より低い。次に、強度測定部２０は、更新頻度決定部３０１Ｂによって決定された更新頻度で電波強度を測定する。次に、受信レベル画像生成部３０２は、更新頻度決定部３０１Ｂによって決定された更新頻度で、生成した受信レベルに応じた画像を表示部４０に表示させる。
【００５１】
（ステップＳ４１０）更新頻度決定部３０１Ｂは、電波状態が良いため更新頻度を通常状態に決定する。次に、強度測定部２０は、更新頻度決定部３０１Ｂによって決定された更新頻度で電波強度を測定する。次に、受信レベル画像生成部３０２は、更新頻度決定部３０１Ｂによって決定された更新頻度で、生成した受信レベルに応じた画像を表示部４０に表示させる。
【００５２】
なお、上述した例では、電波状態を３段階（良い、悪い、非常に悪い）に分けて更新頻度を決定する例を説明したが、これに限られない。電波状態は、第１実施形態のように２段階（良い、悪い）でもよく、または４段階以上であってもよい。
【００５３】
一例として、利用者が端末１Ｂを握っていて且つ端末１Ｂを動かしているときであって、受信レベルが４段階の場合、更新頻度決定部３０１は、受信レベルが２または３のとき電波状態が良い状態であると判別し、通常の更新頻度に決定する。また、更新頻度決定部３０１は、受信レベルが１のとき電波状態が悪い状態であると判別し、更新頻度を例えば１秒間隔に決定する。そして、更新頻度決定部３０１は、受信レベルが０のとき電波状態が非常に悪い状態であると判別し、更新頻度を例えば０．５秒間隔に決定する。
【００５４】
この構成により、本実施形態の端末１Ｂは、利用者が端末１Ｂを握っていて且つ動かしているとき、さらに電波状態に応じて更新頻度を変えるようにした。この結果、本実施形態の端末１Ｂでは、利用者が電波状態の良い場所を探そうとする状態のとき、電波を受信しやすい位置を見つけやすくすることができる。
【００５５】
上述したように第１〜第４実施形態の端末１（１Ａ、１Ｂ）によれば、電波状態の更新頻度を常時高く設定して有る場合に発生する表示のちらつきが発生する時間を低減することができる。また、第１〜第４実施形態の端末１（１Ａ、１Ｂ）では、電波強度を取得する頻度を高く設定する場合と比較して、消費電力を低減することができる。
【００５６】
なお、第１〜第４実施形態で説明した例は一例であり、これに限られない。例えば、第２実施形態と第３実施形態を組み合わせて、利用者が端末１Ｂを握っていて且つ端末１Ｂを動かしているとき、そしてサービスエリアの境界近辺であるとき更新頻度を高くするように決定してもよい。また、第１〜第３実施形態を全て組み合わせてもよい。
【００５７】
なお、第１〜第４実施形態の図１の端末１（１Ａ、１Ｂ）の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００５８】
１、１Ａ、１Ｂ…端末、１０、１２、１４…取得部、２０…強度測定部、３０、３０Ａ、３０Ｂ…画像生成部、４０…表示部、５０…位置情報取得部、６０…サービスエリア情報記憶部、７０…グリップ状態取得部、８０…加速度情報取得部、１０１…電波取得部、３０１、３０１Ａ、３０２Ｂ…更新頻度決定部、３０２…受信レベル画像生成部
【図１】
2015050751.tif 000003
【図２】
2015050751.tif 000004
【図３】
2015050751.tif 000005
【図４】
2015050751.tif 000006
【図５】
2015050751.tif 000007
【図６】
2015050751.tif 000008
【図７】
2015050751.tif 000009
【図８】
2015050751.tif 000010
【図９】
2015050751.tif 000011
【図１０】
2015050751.tif 000012